(57)【特許請求の範囲】
【請求項１】
（Ａ）下記のアミノ酸系界面活性剤（ａ）〜（ｅ）：
（ａ）オレイン酸、ラウリン酸、ミリスチン酸、ベヘニン酸及びステアリン酸からなる群より選ばれた脂肪酸の、ピログルタミン酸脂肪酸グリセリル、
（ｂ）オレイン酸、ラウリン酸、ミリスチン酸、ベヘニン酸及びステアリン酸からなる群より選ばれた脂肪酸の、ポリオキシエチレングリセリルピログルタミン酸脂肪酸ジエステルで、エチレンオキサイド付加モル数が５〜５０モルであるもの、
（ｃ）オレイン酸、ラウリン酸、ミリスチン酸、ベヘニン酸及びステアリン酸からなる群より選ばれた脂肪酸の、ポリオキシエチレン硬化ヒマシ油ピログルタミン酸脂肪酸ジエステルで、エチレンオキサイド付加モル数が５〜５０モルであるもの、
（ｄ）オレイン酸、ラウリン酸、ミリスチン酸、ベヘニン酸及びステアリン酸からなる群より選ばれた脂肪酸の、脂肪酸アシルＬグルタミン酸及びそのＮａ、Ｋ、トリエタノールアミン塩、
（ｅ）Ｎヤシ油脂肪酸アシルＬ‐アルギニンエチルＤＬピロリドンカルボン酸塩、
の少なくとも１種を含有することを特徴とする薄葉紙用柔軟剤。
【請求項２】
更に、多価アルコール、低級アルコール及び水からなる群より選ばれた溶媒を含有することを特徴とする請求項１に記載の薄葉紙用柔軟剤。
【請求項３】
更に（Ｂ）アスパラギン酸、グルタミン酸、グルタミン酸ソーダ、アルギニン、シスチン及びプロリンからなる群より選ばれたアミノ酸系化合物の少なくとも１種を含有することを特徴とする請求項１又は２に記載の薄葉紙用柔軟剤。
【発明の詳細な説明】
【０００１】
【発明の属する技術分野】
本発明は、薄葉紙に対して柔軟性と共に高湿感性を付与することができる柔軟剤に関するものである。
【０００２】
【従来の技術】
衛生薄葉紙、特にトイレットペーパー、ティッシュペーパー等は適度な柔軟性が要求される。そこで、従来より、紙に柔軟性を付与するための柔軟剤として、脂肪酸エステル類、パラフィン乳化物、第４級アンモニウム塩類等が使用されてきた。しかしながら、これらの柔軟剤を使用した場合、柔軟性は得られるが、しっとりした湿感は得られない。
この問題を解決する柔軟剤として、例えば特開昭６３−１６５５９７号には、ジ長鎖アルキル型４級アンモニウム塩を含有する柔軟剤が開示されており、又、特開平４−１００９９５号には、ジアルキル型４級アンモニウム塩と、グリセリンと、水または炭素数４以下の脂肪族アルコールとを含有する柔軟剤が開示されている。更に、特開平５−１５６５９６号には、吸湿性を有する塩類、多価アルコール及び糖類及び保水性を有する糊料を配合するものが開示されており、特開平７−１８９１７０号には、ピロリドンカルボン酸もしくは塩及びベタインを含有する紙用柔軟剤が開示されている。
【０００３】
【発明が解決しようとする課題】
しかしながら、今日、衛生薄葉紙においては、紙の種類、用途、消費者の要望の多様化により、前述した柔軟剤では対処することが困難となってきており、紙に対して良好な柔軟性はもちろん、高度の湿感及び吸水性を付与し、手肌ざわりのよい製品を提供可能な柔軟剤についての要求が高く、これらを満足する柔軟剤が広く求められている。
【０００４】
【課題を解決するための手段】
本発明者らは、上記課題を解決すべく鋭意研究した結果、特定のアミノ酸系界面活性剤を用いることにより、紙に対し柔軟性のみならず、高度の湿感も付与できることを見い出し、本発明を完成するに至った。
すなわち、本発明の薄葉紙用柔軟剤は、
（Ａ）下記のアミノ酸系界面活性剤（ａ）〜（ｅ）：
（ａ）オレイン酸、ラウリン酸、ミリスチン酸、ベヘニン酸及びステアリン酸からなる群より選ばれた脂肪酸の、ピログルタミン酸脂肪酸グリセリル、
（ｂ）オレイン酸、ラウリン酸、ミリスチン酸、ベヘニン酸及びステアリン酸からなる群より選ばれた脂肪酸の、ポリオキシエチレングリセリルピログルタミン酸脂肪酸ジエステルで、エチレンオキサイド付加モル数が５〜５０モルであるもの、
（ｃ）オレイン酸、ラウリン酸、ミリスチン酸、ベヘニン酸及びステアリン酸からなる群より選ばれた脂肪酸の、ポリオキシエチレン硬化ヒマシ油ピログルタミン酸脂肪酸ジエステルで、エチレンオキサイド付加モル数が５〜５０モルであるもの、
（ｄ）オレイン酸、ラウリン酸、ミリスチン酸、ベヘニン酸及びステアリン酸からなる群より選ばれた脂肪酸の、脂肪酸アシルＬグルタミン酸及びそのＮａ、Ｋ、トリエタノールアミン塩、
（ｅ）Ｎヤシ油脂肪酸アシルＬ‐アルギニンエチルＤＬピロリドンカルボン酸塩、
の少なくとも１種を含有することを特徴とする。
【０００５】
又、本発明は、上記の特徴を有する薄葉紙用柔軟剤が、更に多価アルコール、低級アルコール及び水からなる群より選ばれた溶媒を含有することを特徴とするものでもある。
更に、本発明は、上記の特徴を有する薄葉紙用柔軟剤において、更に（Ｂ）アスパラギン酸、グルタミン酸、グルタミン酸ソーダ、アルギニン、シスチン及びプロリンからなる群より選ばれたアミノ酸系化合物の少なくとも１種を含有することを特徴とするものでもある。
【０００６】
【発明の実施の形態】
以下、本発明の薄葉紙用柔軟剤中に含まれる成分について説明する。
本発明の薄葉紙用柔軟剤は、前述のアミノ酸系界面活性剤（Ａ）の少なくとも１種を含み、このアミノ酸系界面活性剤（Ａ）は、前述の化合物（ａ）〜（ｅ）であり、これらはいずれも薄葉紙に柔軟性と湿感性を付与するのに有効であるが、このうち、（ａ）〜（ｃ）は柔軟性が非常に優れた製品を提供するのに特に有効である。本発明の柔軟剤中の界面活性剤（Ａ）の配合量は１〜１００重量％である。又、本発明の柔軟剤中には、多価アルコール、低級アルコール及び水からなる群より選ばれた溶媒が０〜９９重量％の量にて配合されても良く、本発明の柔軟剤中に配合される多価アルコールとしては、グリセリン、エチレングリコール、プロピレングリコールなどが挙げられ、低級アルコールとしては、エチルアルコール、イソプロピルアルコールなどが挙げられ、もちろん、これら溶媒の混合物が、本発明の柔軟剤中に配合されても良い。
尚、前記化合物（ｂ）と（ｃ）におけるエチレンオキサイド付加モル数が、５〜５０モルに限定されるのは、５モル未満では湿感性が劣り、逆に、５０モルを越えると柔軟性が低下するためである。
【０００７】
一方、前記のアミノ酸系界面活性剤（Ａ）と共に、本発明の薄葉紙用柔軟剤中に含まれるアミノ酸系化合物（Ｂ）は、アスパラギン酸、グルタミン酸、グルタミン酸ソーダ、アルギニン、シスチン及びプロリンから選ばれたものであり、本発明の柔軟剤中の化合物（Ｂ）の配合量は、前述の化合物（Ａ）の場合と同様、１〜１００重量％であり、多価アルコール、低級アルコール及び水からなる群より選ばれた溶媒は、０〜９９重量％の量にて配合される。従って、本発明の柔軟剤は、溶媒の配合量に応じて固体状〜液体状のものとなる。
【０００８】
本発明の薄葉紙用柔軟剤は、前述のアミノ酸系界面活性剤（Ａ）単独から成る固体状物であっても、前述のアミノ酸系化合物（Ｂ）との固体状混合物であっても良く、固体状のままでパルプスラリーに添加できるが、使用時に、これら成分が所望の濃度となるように溶媒で希釈するのが一般的である。又、液体状の柔軟剤の場合も、そのままの成分濃度で使用することもできるが、使用時に更に希釈して用いることができる。
【０００９】
本発明の薄葉紙用柔軟剤の使用方法としては、原液もしくは５〜２００倍に水で希釈したものを、抄紙時のパルプスラリーに直接添加する方法や、長網または円網抄紙機により抄紙された湿紙に直接、柔軟剤（液）を塗布する方法や、抄紙乾燥した成紙に塗布または塗工する方法などが挙げられ、いずれの場合も、対パルプ当たり固形分が０．０１％〜２０重量％となるようにして添加または塗布するものとする。
【００１０】
【実施例】
以下、実施例にて本発明を説明するが、本発明は、これら実施例に限定されるものではない。
【００１１】
坪量１４ｇ／ｍ２  の市販京花紙に下記処方の柔軟剤を、対パルプ当たり下記の添加量（ソリッド）になる様にハンドスプレーにて均一に噴霧し、１０５℃×４０秒でドラムドライヤー乾燥した。なお、性能評価は、被試験紙を１０枚片手で握り、柔軟性と湿感性の官能評価を行った。その結果を表１に示す。評価基準は、各々次の５段階として評価し、表中の数値は１０人の平均値であり、表１の評価基準は表２に示される通りである。
【００１２】
【表１】
0003550351.tif 000002
【００１３】
【表２】
0003550351.tif 000003
【００１４】
表１に示される実験結果から、本発明の薄葉紙用柔軟剤を使用した場合には、従来の柔軟剤を使用した場合よりも、柔らかく、しっとりした高湿感性に富む紙製品が得られることがわかる。
【００１５】
【発明の効果】
本発明の薄葉紙用柔軟剤は、原液のまま、あるいは、水で希釈してパルプスラリーに直接添加することができるだけでなく、抄紙後の湿紙に塗布したり、乾燥後の成紙に塗布したりすることもでき、各種の薄葉紙製品に優れた柔軟性と高湿感性を付与することができる。